(57)【要約】【課題】時計サイズを大型化させることなく、アンテナ特性を向上させることができるアンテナ内蔵式電子時計を提供する。【解決手段】電波修正時計１は、金属製の裏蓋１３０を備える外装ケース１００と、電波を受信するアンテナ２１と、これらアンテナ２１および受信手段が内部に収納されるとともに、外装ケース１００内に格納されるモジュール１０と、を備える。そして、裏蓋１３０の内面には、コイル２１２に対向するコイル対向領域１３４と重ならない位置で、かつリード部２１１Ｄに対向するリード部対向領域１３５の少なくとも一部に重なる位置にそれぞれ、裏蓋１３０より透磁率が大きいアモルファス箔材１４０が設けられる。【選択図】図５
2009186373.tif 000002
【特許請求の範囲】
【請求項１】
金属製の裏蓋を備える外装ケースと、
磁性材料により形成される長手状の磁性体コア、およびこの磁性体コアに巻装されるコイルを有するとともに、外部無線情報を受信するアンテナと、
前記アンテナで受信された前記外部無線情報を処理する受信手段と、
前記アンテナおよび前記受信手段が内部に収納されるとともに、前記外装ケース内に格納されるモジュールと、
を備えたアンテナ内蔵式電子時計であって、
前記磁性体コアは、長手方向における中央部に設けられる前記コイルが巻装されるコイル巻部と、コイル巻部の両端側に突出する一対のリード部とを備え、
前記裏蓋の前記モジュールに対向する内面には、前記アンテナの前記コイル巻部に対向するコイル対向領域に重ならない位置で、かつ前記リード部に対向するリード部対向領域の少なくとも一部に重なる位置にそれぞれ透磁率が前記裏蓋の透磁率より大きい一対の金属製磁性箔材が設けられた
ことを特徴とするアンテナ内蔵式電子時計。
【請求項２】
請求項１に記載のアンテナ内蔵式電子時計において、
前記金属製磁性箔材は、アモルファス金属により構成されるアモルファス箔材である
ことを特徴とするアンテナ内蔵式電子時計。
【請求項３】
請求項１または請求項２に記載のアンテナ内蔵式電子時計において、
前記金属製磁性箔材は、前記リード部に対向するリード部対向領域より大きい面積に形成された
ことを特徴とするアンテナ内蔵式電子時計。
【請求項４】
請求項１ないし請求項３のいずれかに記載のアンテナ内蔵式電子時計において、
前記金属製磁性箔材は、接着層を介して裏蓋の内面に貼り付け固定される
ことを特徴とするアンテナ内蔵式電子時計。
【請求項５】
請求項１ないし請求項４のいずれかに記載のアンテナ内蔵式電子時計において、
前記金属製磁性箔材は、複数積層されて設けられる
ことを特徴とするアンテナ内蔵式電子時計。
【請求項６】
請求項１ないし請求項４のいずれかに記載のアンテナ内蔵式電子時計において、
前記金属製磁性箔材は、前記裏蓋の内面上に非導電性部材を介して設けられる
ことを特徴とするアンテナ内蔵式電子時計。
【発明の詳細な説明】
【技術分野】
【０００１】
本発明は、アンテナにより外部無線情報を受信可能なアンテナ内蔵式電子時計に関する。
【背景技術】
【０００２】
従来、外部から時刻情報を有する外部無線情報をアンテナにて受信し、時刻修正などの処理を実施する電波修正時計などのアンテナ内蔵式電子時計が知られている。このようなアンテナ内蔵式電子時計において、アンテナ特性を向上させるために、アンテナにおける集磁効果を向上させる各種構成が考えられている（例えば、特許文献１および２参照）。
【０００３】
特許文献１に記載の腕時計は、積層コア部と、積層コアに巻線を巻き回した巻線部と、積層コア部の両端側に固定されるエンドキャップとを備えたアンテナを内蔵する構成が採られている。
【０００４】
また、特許文献２に記載の腕時計は、コアと、コアを収納するコアケースと、コアケースに巻装されるコイルと、コアのコイルが巻装されていない位置に貼り付けられるアモルファス薄膜とを備えた構成が採られている。
【０００５】
【特許文献１】特開２００５−２６９２３４号公報
【特許文献２】特開２００７−１８４８９４号公報
【発明の開示】
【発明が解決しようとする課題】
【０００６】
ところで、特許文献１に記載のようにアンテナの積層コア部の両端にエンドキャップに取り付ける従来の構成では、エンドキャップの分だけ時計モジュールが大型化し、時計の薄型化および小型化が困難となるという問題がある。
また、特許文献２に記載のようにコアにアモルファス薄膜を固定する構成では、時計に衝撃が加わった際に、アモルファス薄膜が破損しやすくなるという問題がある。新たに保持部材を設けるなどの構成を設けることによりアモルファス薄膜の破損防止が可能であるが、このような保持部材を設けると、時計が大型化してしまうという問題がある。
【０００７】
本発明は、上記のような問題に鑑みて、時計サイズを大型化させることなく、アンテナ特性を向上させることができるアンテナ内蔵式電子時計を提供することを目的とする。
【課題を解決するための手段】
【０００８】
本発明のアンテナ内蔵式電子時計は、金属製の裏蓋を備える外装ケースと、磁性材料により形成される長手状の磁性体コア、およびこの磁性体コアに巻装されるコイルを有するとともに、外部無線情報を受信するアンテナと、前記アンテナで受信された前記外部無線情報を処理する受信手段と、前記アンテナおよび前記受信手段が内部に収納されるとともに、前記外装ケース内に格納されるモジュールと、を備えたアンテナ内蔵式電子時計であって、前記磁性体コアは、長手方向における中央部に設けられる前記コイルが巻装されるコイル巻部と、コイル巻部の両端側に突出する一対のリード部と、を備え、前記裏蓋の前記モジュールに対向する内面には、前記アンテナの前記コイル巻部に対向するコイル対向領域に重ならない位置で、かつ前記リード部に対向するリード部対向領域の少なくとも一部に重なる位置にそれぞれ透磁率が前記裏蓋の透磁率より大きい一対の金属製磁性箔材が設けられたことを特徴とする。
【０００９】
この発明では、裏蓋の内面において、コイル巻部に対向するコイル対向領域に重ならず、リード部に対向するリード部対向領域の一部に重なる位置に金属製磁性箔材が設けられる。ここで、コイル対向領域およびリード部対向領域とは、裏蓋の内面に直交する方向から、この内面を見た平面視において、アンテナのコイル巻部が対向する領域、およびリード部が対向する領域であり、コイル対向領域は、コイル巻部に最も近接する領域、リード部対向領域は、リード部に最も近接する領域となる。
この発明によれば、リード部に最も近接する位置に、強磁性体である金属製磁性箔材が設けられているので、この金属製磁性箔材にて集められた磁束線が磁性体コアを介してアンテナに入力され、アンテナにおける受信性能が向上する。この時、コイル対向領域に金属製磁性箔材が設けられていないため、磁性体コアの両端部のリード部に磁束線を効果的に集めることができ、磁性体コアに置ける一方端から他方端に亘る磁路を容易に形成することができる。これにより、アンテナの受信性能をより高めることができる。
【００１０】
また、本発明のアンテナ内蔵式電子時計では、前記金属製磁性箔材は、アモルファス金属により構成されるアモルファス箔材であることが好ましい。
ここで、本発明における金属製磁性箔材としては、例えば、コバルト系アモルファス（Co-Fe-Ni-B-Si）などが挙げられる。
アモルファス金属は、裏蓋を構成する例えばチタンや真鍮などといった金属よりもはるかに大きい透磁率を有する。したがって、アモルファス箔材を用いることでより集磁効果を高めることができ、磁性体コアのリード部からアンテナ内に入力される磁束線も増大し、アンテナ特性をより向上させることができる。
【００１１】
さらに、本発明のアンテナ内蔵式電子時計では、前記金属製磁性箔材は、前記リード部に対向するリード部対向領域より大きい面積に形成されることが好ましい。
この発明によれば、リード部対向領域よりも大きい面積の金属製磁性箔材を用いることで、より集磁効果を高めることができ、磁性体コアの一対のリード部間を通過する磁束線の量も増大する。したがって、アンテナの受信感度をより向上させることができ、アンテナ特性を良好にできる。
【００１２】
そして、本発明のアンテナ内蔵式電子時計では、前記金属製磁性箔材は、接着層を介して裏蓋の内面に貼り付け固定されることが好ましい。
この発明によれば、金属製磁性箔材を接着剤などにより形成される接着層を介して容易に固定することができる。また、接着層による固定では、樹脂シートなどを用いて金属製磁性箔材を固定する場合に比べて、厚み寸法を小さくすることができる。これにより、裏蓋とモジュールとの間の隙間寸法をより小さくすることができ、アンテナ内蔵式電子時計の薄型化を図ることができる。
【００１３】
また、本発明のアンテナ内蔵式電波時計では、前記金属製磁性箔材は、複数積層されて設けられることが好ましい。
この発明では、金属製磁性箔材が複数層に積層されているので、金属製磁性箔材の厚み寸法が増大し、より多くの磁束線を通過可能となる。したがって、集磁効果をより高めることができるため、アンテナの受信感度もより良好にできる。また、リード部と金属製磁性箔材との距離をより近接させることができ、金属製磁性箔材に集まった磁束線がリード部に入りやすくなり、アンテナの受信感度をより良好にすることができる。
【００１４】
さらに、本発明のアンテナ内蔵式電波時計では、前記金属製磁性箔材は、前記裏蓋の内面上に非導電性部材を介して設けられることが好ましい。
このような構成では、裏蓋とアンテナとの間に十分な隙間がある場合に、金属製磁性箔材をアンテナに近接させることができ、集磁効果がより向上させることができ、アンテナ特性をより良好にできる。また、金属製磁性箔材から裏蓋に磁束の一部が流れて、裏蓋で渦電流が発生してしまう不都合を防止することができる。さらには、アンテナ内蔵式電子時計に衝撃が加わった際に、非導電性部材が緩衝材として働くため、裏蓋からの応力が直接金属製磁性箔材に加わらず、金属製磁性箔材の破損を防止することができる。
【発明を実施するための最良の形態】
【００１５】
［第一の実施の形態］
以下、本発明に係る第一の実施の形態について、図面に基づいて説明する。
図１は、本発明の第一の実施の形態に係るアンテナ内蔵式電子時計としての電波修正時計の正面図である。
【００１６】
図１において、電波修正時計１は、指針１１，１２，１３および文字板１４を備えた指針式時計（アナログ時計）であり、時刻情報を有する外部無線情報としての長波標準電波を受信して、受信した時刻情報に基づいて指針１１，１２，１３を指針位置の補正を実施可能な時計である。
この電波修正時計１は、指針１１，１２，１３と、文字板１４と、標準電波を受信するアンテナ２１および指針１１，１２，１３の駆動を制御する各種構成が組み込まれたモジュール１０と、これらの指針１１，１２，１３、文字板１４、モジュール１０などを内部に収納する外装ケース１００と、を備えている。
【００１７】
〔モジュールの構成〕
電波修正時計１を構成するモジュール１０を図２ないし図５に基づいて説明する。
図２は、前記第一の実施の形態の電波修正時計の内部を裏蓋側からみた概略構成を示す平面図である。
図３は、前記第一の実施の形態の電波修正時計の概略構成を示すブロック図である。
図４は、前記第一の実施の形態の電波修正時計の受信回路部の構成を示すブロック図である。
図５は、前記第一の実施の形態の電波修正時計の厚み方向に断面した際の側断面図である。
【００１８】
モジュール１０は、平面視円形状で合成樹脂製のモジュール中枠１０１を有している。このモジュール中枠１０１の側面には、径方向に向かって外装ケース１００の内周面に当接する複数の突出部（図示せず）が形成され、これらの突出部は、外装ケース１００の内周面に沿って配置されている。
モジュール中枠１０１（図５参照）の側面で突出部が形成されていない部分においては、モジュール中枠１０１の側面の全周にわたって外装ケース１００の内周面と突出部の突出寸法分の隙間が形成されている。
そして、モジュール１０は、外装ケース１００内に収納される際、モジュール中枠１０１に設けられた各突出部が外装ケース１００の内面とそれぞれ当接することで位置が固定される。
【００１９】
また、モジュール１０には、モジュール中枠１０１の内部に、受信ＩＣ８６、ＣＰＵ８７、基準振動子３１１（図３参照）などが取り付けられた図示略の回路基板、駆動手段４の一部を構成するモータ４１１，４２１や輪列などが組み込まれた時計体（ムーブメント）、電力供給手段７を構成する高容量二次電源（二次電池）７２などの各構成部材が組み込まれている。さらに、モジュール１０には、外装ケース１００に近接する位置に電波を受信する前記アンテナ２１が組み込まれている。
モジュールに組み込まれる回路基板には、図３に示すように、受信した電波を処理する受信手段２と、駆動制御回路部３と、指針を駆動する駆動手段４と、時刻をカウントするカウンタ部６と、が各種回路構成として設けられている。
【００２０】
受信手段２は、電波を受信するアンテナ２１と、コンデンサなどで構成されてアンテナ２１で受信する電波に同調させる同調回路部２２と、アンテナ２１で受けた情報を処理する受信回路部２３と、受信回路部２３で処理された時刻データを記憶する時刻データ記憶回路部２４とを備えて構成されている。
【００２１】
同調回路部２２は、図４に示されるように、アンテナ２１に対して並列に接続された２つのコンデンサ２２Ａ，２２Ｂを備えて構成され、一方のコンデンサ２２Ｂはスイッチ２２Ｃを介してアンテナ２１に接続されている。
そして、駆動制御回路部３から出力される周波数切替え制御信号により、前記スイッチ２２Ｃをオンまたはオフすることで、アンテナ２１で受信する電波の周波数を切り替えるように構成されている。これにより、例えば、日本国内において、送信周波数４０ｋＨｚのおおたかどや山（東日本）の標準電波出力局と、送信周波数６０ｋＨｚのはがね山（西日本）の標準電波出力局とから出力されている２種類の周波数の長波標準電波を切り替えて受信することができるように構成されている。
【００２２】
受信回路部２３は、図４に示されるように、アンテナ２１によって受信された長波標準電波信号を増幅する増幅回路２３１と、増幅された長波標準電波信号から所望の周波数成分のみを抜き出すバンドパスフィルタ２３２と、長波標準電波信号を平滑化し復調する復調回路２３３と、増幅回路２３１のゲインコントロールを行ない長波標準電波信号の受信レベルが一定になるように制御するＡＧＣ（Automatic Gain Control）回路２３４と、復調された長波標準電波信号をデコードして出力するデコード回路２３５とを備えて構成されている。
受信回路部２３で受信され信号処理された時刻データは、図３に示すように、時刻デー
タ記憶回路部２４に出力されて記憶される。
受信回路部２３は、予め設定されたスケジュールや外部入力装置８による強制受信操作などによって、駆動制御回路部３から出力される受信制御信号に基づいて時刻情報の受信を開始する。
【００２３】
駆動制御回路部３には、図３に示されるように、パルス合成回路３１からのパルス信号が入力される。パルス合成回路３１は、水晶振動子などの基準振動子３１１からの基準パルスを分周してクロックパルスを生成し、また、基準パルスからパルス幅やタイミングの異なるパルス信号を発生させる。なお、この基準振動子３１１は、ＣＰＵ８７に接続されて、回路のクロック信号となるが、周波数が長波受信周波数に近く、アンテナ２１にノイズとして信号が混入する可能性があるため、アンテナ２１から離して配置されている。
【００２４】
駆動制御回路部３は、一秒に一回出力され秒針を駆動させる秒駆動パルス信号ＰＳ１と、一分間に一回出力され時分針を駆動させる時分駆動パルス信号ＰＳ２とを、秒駆動回路４１、時分駆動回路４２に出力して、指針の駆動を制御する。すなわち、駆動回路４１，４２は、当該駆動回路４１、４２からのパルス信号によって駆動されるステッピングモータからなる秒モータ４１１，時分モータ４２１を駆動し、これによりモータ４１１，４２１に接続された秒針と、分針および時針とを駆動する。そして、各指針、文字板、モータ４１１，４２１、駆動回路４１，４２によって時刻を表示する時刻表示手段が構成されている。なお、時刻表示手段としては、１つのモータで、時針、分針、秒針を駆動するものでもよい。
【００２５】
カウンタ部６は、秒をカウントする秒カウンタ回路部６１と、時分をカウントする時分カウンタ回路部６２とを備えて構成されている。
秒カウンタ回路部６１は、秒位置カウンタ６１１と、秒時刻カウンタ６１２と、一致検出回路６１３とを備えて構成されている。秒位置カウンタ６１１および秒時刻カウンタ６１２はともに６０カウント、つまり１Ｈｚの信号が入力された場合には６０秒でループするカウンタである。秒位置カウンタ６１１は、駆動制御回路部３から秒駆動回路４１に供給される駆動パルス信号（秒駆動パルス信号ＰＳ１）をカウントしている。つまり、秒針を駆動させる駆動パルス信号をカウントすることによって、秒針が示している秒針の位置をカウントしている。
秒時刻カウンタ６１２は、通常は、駆動制御回路部３から出力される１Ｈｚの基準パルス信号（クロックパルス）をカウントする。また、受信手段２で時刻データを受信した場合には、この時刻データのうちの秒データに合わせてカウンタ値が修正される。
【００２６】
同様に、時分カウンタ回路部６２は、時分位置カウンタ６２１と、時分時刻カウンタ６２２と、一致検出回路６２３とを備えて構成されている。時分位置カウンタ６２１および時分時刻カウンタ６２２はともに２４時間分の信号が入力されるとループするカウンタである。時分位置カウンタ６２１は、駆動制御回路部３から時分駆動回路４２に供給される駆動パルス信号（時分駆動パルス信号ＰＳ２）をカウントし、時針、分針が示している時分針の位置をカウントしている。
時分時刻カウンタ６２２は、通常は、駆動制御回路部３から出力される１Ｈｚのパルス（クロックパルス）をカウントする（正確には１Ｈｚを６０回計数したところで１カウントとする）。また、受信手段２で時刻データを受信した場合には、この時刻データのうちの時分データに合わせてカウンタ値が修正される。
【００２７】
一致検出回路６１３，６２３は、位置カウンタ６１１，６２１と時刻カウンタ６１２，６２２とのカウント値の一致を検出し、一致しているか否かを示す検出信号を駆動制御回路部３に出力する。
駆動制御回路部３は、一致検出回路６１３，６２３から不一致信号が入力されると、一致信号が入力されるまで駆動パルス信号ＰＳ１，ＰＳ２を出力し続ける。このため、通常運針時は、駆動制御回路部３から１Ｈｚの基準信号によって時刻カウンタ６１２，６２２のカウンタ値が変化して位置カウンタ６１１，６２１と不一致となると、駆動パルス信号ＰＳ１，ＰＳ２が出力されて各指針が動くとともに、位置カウンタ６１１，６２１が時刻カウンタ６１２，６２２と一致することになり、この動作を繰り返すことで、通常の運針制御が行われる。
また、受信した時刻データで時刻カウンタ６１２，６２２が修正されると、そのカウンタ値に位置カウンタ６１１，６２１のカウンタ値が一致するまで、駆動パルス信号ＰＳ１，ＰＳ２が出力され続け、指針が早送りされて正しい時刻に修正される。
【００２８】
電力供給手段７は、自動巻発電機や太陽電池（ソーラー発電機）などによって構成された発電手段としての発電装置７１と、発電装置７１で発電された電力を蓄電する高容量二次電源７２とを備えて構成されている。高容量二次電源７２は、リチウムイオン電池のような二次電池が利用できる。なお、電力供給手段７としては、銀電池などの一次電池を用いてもよい。また、高容量二次電源７２は、ステンレス製のケースで構成されており、アンテナ特性への影響を抑えるため、図２に示すように、モジュール１０内においてアンテナ２１から離れた時計の３時方向の位置に配置されている。
【００２９】
外部入力手段としての外部入力装置８は、リュウズなどを備え、受信動作や時刻合わせなどを行うために利用される。
【００３０】
アンテナ２１は、モジュール中枠１０１の内側面に略沿って時計の９時方向の位置に配置されている。
このアンテナ２１は、磁性体コア２１１およびこの磁性体コア２１１に巻かれたコイル２１２により構成されている。
磁性体コア２１１は、図５に示すように、断面が略正方形に形成されている。また、この磁性体コア２１１は、図２に示すように、コイル２１２が巻装される直線状のコイル巻部２１１Ｃと、コイル巻部２１１Ｃの両端側から外装ケース１００の胴部を構成するケーシング１１０に内周に沿う状態に突出するリード部２１１Ｄとを備えている。
【００３１】
この磁性体コア２１１は、例えば、コバルト系のアモルファス箔（例；Ｃｏ５０ｗｔ％以上のアモルファス箔）を型で打ち抜くか、エッチングで成形したものを１０〜３０枚程接着して重ね合わせ、焼鈍などの熱処理を行って磁気特性を安定化させたものである。すなわち、磁性体コア２１１は、平面状のアモルファス箔を時計の厚み方向に積層して構成されている。なお、磁性体コア２１１としては、積層アモルファス箔に限定されず、フェライトを用いてもよく、この場合には、型などで成形し、熱処理して製造すればよい。
【００３２】
コイル２１２は、長波標準電波（４０〜７７．５ｋＨｚ）を受信する場合は、１０ｍＨ程度のインダクタンス値が必要となる。このため、本実施形態では、コイル２１２として直径０．１μｍ程度のウレメット線を数百ターンほど巻いて構成している。そして、このコイル２１２は、磁性体コア２１１の一方の端部（第一コア端部２１１Ａ）から所定寸法となる第一コイル端部２１２Ａ、および磁性体コア２１１の他端部（第二コア端部２１１Ｂ）から所定寸法となる第二コイル端部２１２Ｂの間に亘るコイル巻部２１１Ｃに、磁性体コア２１１の長手方向を軸とした周方向に沿って周面に巻装されている。
【００３３】
また、アンテナ２１と受信ＩＣ８６とは２本の配線で接続されている。すなわち、コイル２１２をアンテナ端部から取り出して回路基板にはんだ付けすることにより、アンテナ２１と受信ＩＣ８６とは電気的に接続されている。これにより、アンテナ２１で受信された標準電波が受信手段２に出力可能となる。なお、前記電気的接続は、アンテナ２１にポリイミドなどからなるフレキシブル基板を取り付け、この基板を回路基板にネジ留めすることなどで行ってもよい。
【００３４】
〔外装ケースの構成〕
次に、電波修正時計１の外装ケース１００の構成について説明する。
外装ケース１００は、図２および図５に示すように、胴部としてのケーシング１１０と、ケーシング１１０の表面側に装着されたカバーガラス１２０と、ケーシング１１０の裏面（下端面）側に取り付けられた金属製の裏蓋１３０とを備えている。
【００３５】
ケーシング１１０は、例えばステンレス鋼、真鍮、チタンなどの金属材で構成されている。このケーシング１１０は、略円筒状に形成され、内周面が平面略円形に形成されている。
【００３６】
裏蓋１３０は、上述したように、ケーシング１１０の下端面に例えばねじ止めなどにより固定されている。図６は、第一の実施の形態の裏蓋の内面の構成を示す平面図である。
この裏蓋１３０は、図６に示すように、ケーシング１１０の内周面より径大に形成される円盤状の円盤部１３１と、この円盤部１３１から径外方向に突出する４つのねじ止め部１３２とを備えている。ねじ止め部１３２は、それぞれ、ネジを挿通可能な孔部１３３が形成されている。そして、裏蓋１３０は、ケーシング１１０の下端面の所定位置に位置決めされ、ねじ止め部１３２の孔部１３３からケーシング１１０の下端面にねじ止めされることで、ケーシング１１０に固定される。
【００３７】
そして、この裏蓋１３０の内面（モジュール１０に対向する面）には、図６に示すように、金属製磁性箔材としてのアモルファス箔材１４０が貼り付け固定されている。
具体的には、このアモルファス箔材１４０は、裏蓋１３０の内面において、コイル２１２に対向するコイル対向領域１３４と重ならない位置で、かつ一対のリード部２１１Ｄに対向する一対のリード部対向領域１３５の一部と重なる位置に、それぞれ設けられている。ここで、これらの一対のアモルファス箔材１４０は、平面視においてそれぞれリード部２１１Ｄの突出方向（コイル２１２から離れる方向）に延出して形成されている。これらのアモルファス箔材１４０は、接着層を介して裏蓋１３０に貼り付け固定されている。
【００３８】
また、このアモルファス箔材１４０としては、例えばコバルト系アモルファス（Co-Fe-Ni-B-Si）などが挙げられる。このアモルファス箔材１４０は、例えばコバルト系アモルファス（Co-Fe-Ni-B-Si）の場合で比透磁率が２００００である。これに対して、裏蓋１３０として例えばステンレス鋼が用いられる場合、比透磁率は１．４、真鍮が用いられる場合の比透磁率は１．０、チタンが用いられる場合の比透磁率は１．０００１である。したがって、アモルファス箔材１４０の透磁率は、裏蓋１３０を構成する金属よりはるかに大きい値となる。したがって、アモルファス箔材１４０には、周囲の磁束線が集められ磁界が強くなる。これにより、アモルファス箔材１４０に対向するリード部２１１Ｄから磁性体コアを通過する磁束線も多くなり磁束密度が大きくなる。
また、アモルファス箔材１４０は、裏蓋１３０を構成する金属よりも低導電性であり、このアモルファス箔材１４０に磁束線が通過することで、裏蓋１３０に磁束線が通過する場合に比べて、渦電流の発生が抑えることができる。
【００３９】
〔電波修正時計の作用効果〕
上述したように、上記第一の実施の形態の電波修正時計１は、裏蓋１３０の内面でアンテナ２１のコイル対向領域１３４に重ならない位置で、かつリード部対向領域１３５の一部に重なるように、一対のアモルファス箔材１４０が設けられている。
このため、アモルファス箔材１４０にて集められた磁束線がリード部２１１Ｄから磁性体コア２１１内を通過し、集磁効果を向上させることができる。一般に、アンテナ２１の受信電圧は、磁性体コア２１１の中心の磁束密度に対して比例するため、上記のように、集磁効果を高めることにより受信電圧も増大し、アンテナ２１の受信感度を良好にすることができる。
また、アンテナ２１のリード部２１１Ｄの形状変更やサイズ変更をするなど、アンテナ２１を形状やサイズを変える必要がないので、アンテナ２１の大型化に伴う電波修正時計１の大型化がない。したがって、良好な意匠性を維持したまま、集磁効果を良好に高めることができる。さらに、電波修正時計１に衝撃が加わったとしても、アモルファス箔材１４０が直接アンテナ２１に当接していないため、衝撃時の振動などによる破損が防止できる。したがって、別途アモルファス箔材１４０を保護する部材などが不要となる。
以上により、上記電波修正時計１では、簡単な構成で時計の薄型化、小型化に対応できるとともに、アンテナ２１のアンテナ特性を良好にできる。
【００４０】
また、金属製磁性箔材として、アモルファス箔材１４０を用いている。このアモルファス箔材１４０は、アンテナ２１の磁性体コア２１１以外の時計部品、例えばケーシング１１０や裏蓋１３０などに比べて透磁率がはるかに大きい値となる。このため、このアモルファス箔材１４０に周囲の磁束を効率的に集めることができる。したがって、アモルファス箔材１４０からリード部２１１Ｄを介して磁性体コア２１１に入力される磁束線の量も増大し、アンテナ２１の集磁効果が向上するため、アンテナ特性もより良好にできる。
【００４１】
また、アモルファス箔材１４０は、リード部２１１Ｄに対向するリード部対向領域１３５からコイル対向領域１３４と離れる方向に延出して形成されている。したがって、アモルファス箔材１４０は、リード部対向領域１３５よりも大きい範囲に形成される。よって、リード部２１１Ｄに入力される磁束線がより多くなるため、磁性体コアの中心部における磁束密度もより大きくなり、受信感度をより一層向上させることができる。
【００４２】
さらに、アモルファス箔材１４０は、箔状に形成されており、接着剤を塗布することで形成される接着層により貼り付け固定されている。このため、例えば樹脂シートにアモルファス金属を配合させた従来の磁性シートを用いる構成に比べて、十分にアモルファス箔材１４０および接着層の厚み寸法を小さくでき、裏蓋１３０とモジュール１０との隙間寸法を小さくすることができる。したがって、電波修正時計１の厚み寸法が増大せず、意匠性も良好にできる。
【００４３】
［第二の実施の形態］
次に本発明に係る第二の実施の形態について、図面に基づいて説明する。なお、以下の図面および実施の形態において、前記第一の実施の形態の電波修正時計１と同一の構成のものは、同符号を付し、その説明を簡略もしくは省略する。
図７は、第二の実施の形態に係る電波修正時計における裏蓋の構成を示す図である。
第二の実施の形態は、第一の実施の形態の裏蓋１３０に形成されるアモルファス箔材１４０を変形したものである。
【００４４】
すなわち、第二の実施の形態の電波修正時計における裏蓋１３０には、図７に示すように、リード部対向領域１３５の略全領域に重なり、かつコイル対向領域１３４に重ならない範囲に、一対のリード部対向領域１３５に対してそれぞれアモルファス箔材１４１が設けられている。このアモルファス箔材１４１は、裏蓋１３０におけるケーシング１１０の内周面に対向する面に沿って、時計中心線（１２時方向と６時方向とを結ぶ線）近傍まで延出形成されている。このアモルファス箔材１４１としては、上記第一の実施の形態のアモルファス箔材１４０と同様のもアモルファス金属を利用でき、例えばコバルト系アモルファスが用いられる。
【００４５】
なお、アモルファス箔材１４１の延出量や面積は上記に限らず、例えば図８に示すように、コイル対向領域１３４の延長領域を挟んで、１２時方向および６時方向の大半にそれぞれアモルファス箔材１４１が設けられる構成などとしてもよい。その他、一対のアモルファス箔材１４１が、コイル対向領域１３４に重ならない位置で、かつそれぞれ一対のリード部対向領域１３５に重なる位置に配置され、これら一対のアモルファス箔材１４１が接触せずに独立して設けられていれば、どのような範囲に形成されているものであってもよい。このような場合、アモルファス箔材１４１の面積が大きくなり、より多くの磁束が集まるが、リード部２１１Ｄに対向するリード部対向領域１３５から離れた位置では、アモルファス箔材１４１に磁束線が入力されても分散されてしまう。したがって、実際には、図７に示すような、アモルファス箔材１４０が時計中心線近傍まで延出される程度が最も効率よくリード部２１１Ｄへ入力可能な磁束線を集めることが可能となる。
【００４６】
〔第二の実施の形態の作用効果〕
上記第二の実施の形態の電波修正時計１では、裏蓋１３０の内面に、コイル対向領域１３４に重ならない位置で、かつリード部対向領域１３５のほぼ全域に重なる位置から、ケーシング内周面に略沿って、時計中心線近傍位置まで演出するアモルファス箔材１４１が設けられている。
このため、アモルファス箔材１４１は、第一の実施の形態のアモルファス箔材１４０よりも大きい面積に形成されることになり、より集磁効果を高めることができる。また、アモルファス箔材１４１にて集められた磁束線がリード部２１１Ｄのほぼ全域に対して入力されるため、リード部２１１Ｄから磁性体コア２１１に入力される磁束線の量も増大し、よりアンテナ２１における受信感度を向上させることができる。
【００４７】
［第三の実施の形態］
次に本発明に係る第三の実施の形態の電波修正時計について、図面に基づいて説明する。
図９は、第三の実施の形態の電波修正時計における側断面図である。
【００４８】
上記第一の実施の形態の電波修正時計１では、裏蓋１３０の一対のリード部対向領域１３５にそれぞれ１枚のアモルファス箔材１４０を接着固定する構成を示したが、第三の実施の形態の電波修正時計１Ａでは、裏蓋１３０の一対のリード部対向領域１３５に、それぞれアモルファス箔材１４０を積層して、アモルファス箔層１４２を形成する。
また、このアモルファス箔層１４２は、上面（モジュール１０に対向する面）とモジュール１０との間に例えば１ｍｍ程度の隙間を設けられるように形成される。
【００４９】
〔第三の実施の形態の電波修正時計の作用効果〕
上記したように、第三の実施の形態の電波修正時計１Ａでは、裏蓋１３０の内面において、コイル２１２に対向するコイル対向領域１３４と重ならない位置で、かつリード部２１１Ｄに対向するリード部対向領域１３５の少なくとも一部に重なる位置で、アモルファス箔材１４０が積層されたアモルファス箔層１４２が形成されている。
このため、単一のアモルファス箔材１４０が貼り付けられる構成に比べて、アモルファス箔層１４２の層厚み寸法が増大し、より多くの磁束線を集めることが可能となり集磁効果をより高めることができる。また、アモルファス箔層１４２とリード部２１１Ｄとの距離が小さくなるため、アモルファス箔層１４２で集められた磁束線が良好にリード部２１１Ｄに入力され、磁性体コア２１１の中心部を通る磁束密度も大きくなる。したがって、アモルファス箔層１４２による集磁効率をより向上させることができ、アンテナ２１の受信感度をより高めることができる。
【００５０】
また、アモルファス箔層１４２の上面とモジュール１０との間には、僅かな隙間が設けられている。このため、例えば衝撃などにより振動が加わったとしても、アモルファス箔層１４２がモジュール１０に接触せず、アモルファス箔層１４２の破損を防止できる。
【００５１】
［第四の実施の形態］
次に本発明に係る第四の実施の形態の電波修正時計について、図面に基づいて説明する。
図１０は、第四の実施の形態の電波修正時計における側断面図である。
【００５２】
第三の実施の形態では、裏蓋１３０の内面に直接アモルファス箔材１４０を積層してアモルファス箔層１４２を形成した。これに対して、第四の実施の形態の電波修正時計１Ｂでは、裏蓋１３０の内面に非導電性部材としての樹脂シート１４３を貼り付け、この樹脂シート上にアモルファス箔材１４０を積層し、アモルファス箔層１４４を形成する。なお、図１０において、樹脂シート１４３上に積層されるアモルファス箔材１４０は一枚であるが、これに限定されず、複数のアモルファス箔材１４０を積層させる構成としてもよい。
【００５３】
なお、このアモルファス箔層１４４の形成位置としては、第一および第三の実施の形態と同様であり、コイル対向領域１３４に重ならない位置で、かつリード部対向領域１３５の少なくとも一部に重なる位置に設置する。なお、樹脂シートは、アモルファス箔材１４０の積層位置にのみ貼り付けられている構成に限られず、例えば裏蓋１３０の内面全体に貼り付け固定されている構成であってもよい。
【００５４】
〔第四の実施の形態の作用効果〕
上記第四の実施の形態の電波修正時計１Ｂでは、裏蓋１３０の内面に、樹脂シート１４３を貼り付け、この樹脂シート１４３上にアモルファス箔材１４０を積層してアモルファス箔層１４４を形成している。
このため、アンテナ２１にて電波を受信した際に発生する磁束線が、アモルファス箔材１４０から裏蓋１３０に流れず、裏蓋１３０における渦電流の発生をより効果的に抑制できる。また、電波修正時計１Ｂに衝撃が加わった場合でも、樹脂シート１４３が緩衝材となり、裏蓋１３０からアモルファス箔材１４０に直接応力が加わらない。これにより、衝撃によるアモルファス箔材１４０の破損も防止できる。さらに、上記第三の実施の形態と同様に、アモルファス箔材１４０をリード部２１１Ｄに近接させることができるため、アンテナ２１における集磁効果がより向上し、アンテナ特性を良好にできる。
【００５５】
［他の実施の形態］
なお、本発明は前述の実施形態に限定されるものではなく、本発明の目的を達成できる範囲での変形、改良などは本発明に含まれるものである。
【００５６】
例えば、金属製磁性箔材として、強磁性部材であるアモルファス金属の箔状部材を用いたが、これに限定されない。例えば裏蓋１３０の透磁率よりも大きい透磁率を有する金属であれば特に限定されず、裏蓋１３０を構成する金属素材により適宜選択されるものであってもよい。
【００５７】
さらに、第三および第四の実施の形態において、アモルファス箔層１４２，１４４を第一の実施の形態のアモルファス箔材１４０が設けられる位置に設けたが、例えば第二の実施の形態や図８に示されるようなアモルファス箔材１４１が貼り付けられる位置に、これらアモルファス箔層１４２，１４４を設ける構成としてもよい。
【００５８】
その他、本発明の実施の際の具体的な構造および手順は、本発明の目的を達成できる範囲で他の構造などに適宜変更できる。
【図面の簡単な説明】
【００５９】
【図１】本発明の第一の実施の形態に係るアンテナ内蔵式電子時計としての電波修正時計の正面図である。
【図２】前記第一の実施の形態の電波修正時計を裏蓋側からみた概略構成を示す平面図である。
【図３】前記第一の実施の形態の電波修正時計の概略構成を示すブロック図である。
【図４】前記第一の実施の形態の電波修正時計の受信回路部の構成を示すブロック図である。
【図５】前記第一の実施の形態の電波修正時計の厚み方向に断面した際の側断面図である。
【図６】前記第一の実施の形態の裏蓋の内面の構成を示す平面図である。
【図７】本発明に係る第二の実施の形態に係る電波修正時計における裏蓋の構成を示す図である。
【図８】第二の実施の形態の変形例の裏蓋の構成を示す図である。
【図９】本発明に係る第三の実施の形態の電波修正時計における側断面図である。
【図１０】本発明に係る第四の実施の形態の電波修正時計における側断面図である。
【符号の説明】
【００６０】
１，１Ａ，１Ｂ…アンテナ内蔵式電子時計としての電波修正時計、２…受信手段、１０…モジュール、２１…アンテナ、１００…外装ケース、１１０…胴部としてのケーシング、１３０…裏蓋、１３４…コイル対向領域、１３５…リード部対向領域、１４０…金属製磁性箔材としてのアモルファス箔材、１４２，１４４…アモルファス箔層、１４３…非導電性部材としての樹脂シート、２１１…磁性体コア、２１１Ｃ…コイル巻部、２１１Ｄ…リード部、２１２…コイル。
【図１】
2009186373.tif 000003
【図２】
2009186373.tif 000004
【図３】
2009186373.tif 000005
【図４】
2009186373.tif 000006
【図５】
2009186373.tif 000007
【図６】
2009186373.tif 000008
【図７】
2009186373.tif 000009
【図８】
2009186373.tif 000010
【図９】
2009186373.tif 000011
【図１０】
2009186373.tif 000012